【手続補正書】
【提出日】平成17年3月17日(2005.3.17)
【手続補正１】
【補正対象書類名】明細書
【補正対象項目名】特許請求の範囲
【補正方法】変更
【補正の内容】
【特許請求の範囲】
【請求項１】
モバイル情報端末機器の本体ケースの外表面に着脱自在に装着される外装パネルであって、
電子回路部を備え、
該電子回路部により所定の機能が実行される
ことを特徴とするモバイル情報端末機器の外装パネル。
【請求項２】
請求項１に記載したモバイル情報端末機器の外装パネルであって、
上記電子回路部は発光部を有し、当該発光部が発光することによって上記所定の機能が実行される
ことを特徴とするモバイル情報端末機器の外装パネル。
【請求項３】
請求項１に記載したモバイル情報端末機器の外装パネルであって、
モバイル情報端末機器の外部端子に接続される外部端子を有し、
当該外装パネルをモバイル情報端末機器に装着したときに、上記外部端子同士が接続されることで、モバイル情報端末機器の電源が、上記電子回路部の駆動電源とされる
ことを特徴とするモバイル情報端末機器の外装パネル。
【請求項４】
請求項１に記載したモバイル情報端末機器の外装パネルであって、
モバイル情報端末機器の外部端子に接続される外部端子を有し、
当該外装パネルをモバイル情報端末機器に装着したときに上記外部端子同士が接続されることで、モバイル情報端末機器から上記電子回路部に当該モバイル情報端末機器の状態を示す情報が供給され、供給された上記情報に応じて上記所定の機能が実行される
ことを特徴とするモバイル情報端末機器の外装パネル。
【請求項５】
請求項１に記載したモバイル情報端末機器の外装パネルであって、
電源を有し、該電源を上記電子回路部の駆動電源とする
ことを特徴とするモバイル情報端末機器の外装パネル。
【請求項６】
請求項１に記載したモバイル情報端末機器の外装パネルであって、
上記電子回路部は検波回路部を有し、該検波回路によりモバイル情報端末機器の送信波を検波して上記電子回路部の駆動電力を取り出す
ことを特徴とするモバイル情報端末機器の外装パネル。
【請求項７】
ケース体の表面に外装パネルが着脱自在に装着されるモバイル情報端末機器であって、
上記外装パネルは電子回路部を備え、
該電子回路部により所定の機能が実行される
ことを特徴とするモバイル情報端末機器。
【請求項８】
請求項７に記載したモバイル情報端末機器であって、
上記外装パネルにおける電子回路部は発光部を有し、当該発光部の発光により当該モバイル情報端末機器の状態に合わせた上記所定の機能が実行される
ことを特徴とするモバイル情報端末機器。
【請求項９】
請求項７に記載したモバイル情報端末機器であって、
上記外装パネルが装着される装着部を有し、
該装着部に上記電子回路部と接続するための外部端子を設け、
上記外装パネルを当該モバイル情報端末機器に装着したときに、上記外部端子と上記外装パネル側の外部端子とが接続されることで、モバイル情報端末機器側の電源が上記電子回路部の駆動電源とされる
ことを特徴とするモバイル情報端末機器。
【請求項１０】
請求項７に記載したモバイル情報端末機器であって、
上記外装パネルが装着される装着部を有し、
該装着部に上記電子回路部と接続するための外部端子を設け、
上記外装パネルを当該モバイル情報端末機器に装着したときに上記外部端子と上記外装パネル側の外部端子とが接続されることで、当該モバイル情報端末機器の状態を示す情報が上記電子回路部に供給され、供給された上記情報に応じて上記所定の機能が実行される
ことを特徴とするモバイル情報端末機器。
【手続補正２】
【補正対象書類名】明細書
【補正対象項目名】００１０
【補正方法】変更
【補正の内容】
【００１０】
【課題を解決するための手段】
上記課題を解決するために、本発明モバイル情報端末機器の外装パネルは、モバイル情報端末機器の本体ケースの外表面に着脱自在に装着される外装パネルであって、電子回路部を備え、該電子回路部により所定の機能が実行されるようにしたものである。
【手続補正３】
【補正対象書類名】明細書
【補正対象項目名】００１１
【補正方法】変更
【補正の内容】
【００１１】
また、上記課題を解決するために、本発明モバイル情報端末機器は、ケース体の表面に外装パネルが着脱自在に装着されるモバイル情報端末機器であって、上記外装パネルは電子回路部を備え、該電子回路部により所定の機能が実行されるようにしたものである。
【手続補正４】
【補正対象書類名】明細書
【補正対象項目名】０２０５
【補正方法】変更
【補正の内容】
【０２０５】
【発明の効果】
以上に記載したところから明らかなように、本発明モバイル情報端末機器の外装パネルは、モバイル情報端末機器の本体ケースの外表面に着脱自在に装着される外装パネルであって、電子回路部を備え、該電子回路部により所定の機能が実行されるようにしたことを特徴とする。
【手続補正５】
【補正対象書類名】明細書
【補正対象項目名】０２０６
【補正方法】変更
【補正の内容】
【０２０６】
また、本発明モバイル情報端末機器は、ケース体の表面に外装パネルが着脱自在に装着されるモバイル情報端末機器であって、上記外装パネルは電子回路部を備え、該電子回路部により所定の機能が実行されるようにしたことを特徴とする。
【手続補正６】
【補正対象書類名】明細書
【補正対象項目名】０２０８
【補正方法】変更
【補正の内容】
【０２０８】
請求項２に記載した発明にあっては、電子回路部は発光部を有し、発光部が発光することによって所定の機能が実行されるようにしたので、発光部の発光により付加価値をさらに高めることができる。
【手続補正７】
【補正対象書類名】明細書
【補正対象項目名】０２０９
【補正方法】変更
【補正の内容】
【０２０９】
請求項３に記載した発明にあっては、モバイル情報端末機器の外部端子に接続される外部端子を有し、外装パネルをモバイル情報端末機器に装着したときに、上記外部端子同士が接続されることで、モバイル情報端末機器の電源が電子回路部の駆動電源とされるようにしたので、外装パネルの小型化、軽量化を図ることができる。また、請求項４に記載した発明にあっては、モバイル情報端末機器の外部端子に接続される外部端子を有し、当該外装パネルをモバイル情報端末機器に装着したときに上記外部端子同士が接続されることで、モバイル情報端末機器から上記電子回路部に当該モバイル情報端末機器の状態を示す情報が供給され、供給された上記情報に応じて上記所定の機能が実行されるようにしたので、所定の機能をさらに追加することでさらに付加価値を付け、商品価値の向上を図ることができる。
【手続補正８】
【補正対象書類名】明細書
【補正対象項目名】０２１０
【補正方法】変更
【補正の内容】
【０２１０】
請求項５に記載した発明にあっては、電源を有し、該電源を電子回路部の駆動電源とするようにしたので、モバイル情報端末機器側の電源を必要としないため、携帯電話機側に余分な電力の負担をさせることがない。
【手続補正９】
【補正対象書類名】明細書
【補正対象項目名】０２１１
【補正方法】変更
【補正の内容】
【０２１１】
請求項６に記載した発明にあっては、電子回路部は検波回路部を有し、該検波回路によりモバイル情報端末機器の送信波を検波して電子回路部の駆動電力を取り出すようにしたので、消費電力が少ない場合は、検波回路のみ搭載すれば、十分であり、電話側の電源の負担はなく、かつ、外装パネルの軽量化、小型化に寄与する。
【手続補正１０】
【補正対象書類名】明細書
【補正対象項目名】０２１２
【補正方法】変更
【補正の内容】
【０２１２】
請求項８に記載した発明にあっては、外装パネルにおける電子回路部は発光部を有し、当該発光部の発光により当該モバイル情報端末機器の状態に合わせた上記所定の機能が実行されるようにしたので、発光部の発光により付加価値をさらに高めることができる。また、請求項９に記載した発明にあっては、外装パネルの装着部に電子回路部と接続するための外部端子を設け、外装パネルをモバイル情報端末機器に装着したときに、外部端子と外装パネル側の外部端子とが接続されることで、モバイル情報端末機器側の電源が上記電子回路部の駆動電源とされるようにしたので、外装パネルの小型化、軽量化を図ることができる。また、請求項１０に記載した発明にあっては、外装パネルが装着される装着部を有し、該装着部に電子回路部と接続するための外部端子を設け、外装パネルを当該モバイル情報端末機器に装着したときに外部端子と外装パネル側の外部端子とが接続されることで、当該モバイル情報端末機器の状態を示す情報が電子回路部に供給され、供給された情報に応じて所定の機能が実行されるようにしたので、所定の機能をさらに追加することでさらに付加価値を付け、商品価値の向上を図ることができる。